(57)【要約】【課題】施療子が被施療部を押圧して施療する際に、さらに押圧方向に交差する方向に沿う変位を被施療部に加えつつ施療する施療ユニットおよび当該施療ユニットを用いたマッサージ機を提供する。【解決手段】施療子２６０を有する施療子保持部２５０と、第一カム２４０を有する第一駆動部Ａと、第二カムを有する第二駆動部Ｂと、を備え、第一駆動部Ａが施療子保持部２５０に接続されており、第二駆動部Ｂは、第一駆動部Ａに接続されている。【選択図】図３
2019130048.tif 000002
【特許請求の範囲】
【請求項１】
施療子を有する施療部と、
斜板偏心カムを有する第一駆動部と、
偏心カムを有する第二駆動部と、を備え、
前記第一駆動部もしくは前記第二駆動部の何れか一方の駆動部が前記施療部に接続されており、前記第一駆動部もしくは前記第二駆動部の何れか他方の駆動部は、前記一方の駆動部に接続されている、施療ユニット。
【請求項２】
前記施療部は前記斜板偏心カムに接続されており、
前記第一駆動部は前記偏心カムに接続されており、
前記施療部には前記第一駆動部を介して前記偏心カムの動作が伝達される、請求項１に記載の施療ユニット。
【請求項３】
前記斜板偏心カムと、前記偏心カムとは、互いに独立した駆動源を有する、請求項１または２に記載の施療ユニット。
【請求項４】
前記施療部を偏心方向に垂直な方向に移動させる第三駆動部を備え、
前記第三駆動部は、前記第一駆動部または前記第二駆動部の少なくとも何れか一方に接続されている、請求項１から３の何れか一項に記載の施療ユニット。
【請求項５】
前記施療部は、前記施療子として、互いに近接離反可能な第一施療子と第二施療子とを有する、請求項１から４の何れか一項に記載の施療ユニット。
【請求項６】
前記第二施療子は、先端部分が複数肢に分岐している、請求項５に記載の施療ユニット。
【請求項７】
前記施療子の先端部分に膨縮袋を有する、請求項１から６の何れか一項に記載の施療ユニット。
【請求項８】
前記偏心カムの偏心量は、前記斜板偏心カムの偏心量よりも大きい、請求項１から７の何れか一項に記載の施療ユニット。
【請求項９】
請求項１から８の何れか一項に記載の施療ユニットを備え、
前記施療部を、被施療者の肩部の施療に用いるマッサージ機。
【請求項１０】
請求項１から８の何れか一項に記載の施療ユニットを備え、
前記施療部を、被施療者の背部の施療に用いるマッサージ機。
【請求項１１】
前記被施療者の前記背部に対向するローラーを前記施療ユニットと一体に備え、
前記ローラーは、前記施療ユニットの昇降に伴って回転しながら前記背部に沿い昇降する請求項１０に記載のマッサージ機。
【発明の詳細な説明】
【技術分野】
【０００１】
本発明は、施療ユニットおよび当該施療ユニットを用いたマッサージ機に関する。
【背景技術】
【０００２】
被施療者の肩を挟み込んで揉んだり叩いたりすることにより施療を行うマッサージ機が知られている。例えば、特許文献１には、仰臥位にある被施療者の左右のそれぞれの肩の前後を一対の揉み手で挟み込む肩用揉み手段を有すると共に、一対の揉み手による肩の前後への近接離反の動きを実現するマッサージ機構を有するマッサージ機（据え置き型のマッサージ装置）が開示されている。
【０００３】
特許文献２には、間隔をおいて配置され相互に近接離反することにより先端の当接部で被施療者の肩を挟み込む第１アームおよび第２アームと、第１アームと第２アームの間隔を変更すべく第１および第２アームに対して回転可能に取り付けられた回転軸とを有し、第１および第２アームの内少なくとも一方は回転軸に対して偏心および傾斜して取り付けられたマッサージ機が開示されている。
【先行技術文献】
【特許文献】
【０００４】
【特許文献１】特開２００５−０４６５４１号公報
【特許文献２】特開２０１２−１２０５４９号公報
【発明の概要】
【発明が解決しようとする課題】
【０００５】
マッサージ機とは、人（施療者）が被施療者に対して行っていたマッサージ行為を機械的な操作に代替するものである。したがって、例えば被施療部として肩を施療する場合、施療者が被施療者の肩を揉む際の腕や指の動きをマッサージ機が再現すれば、施療者が行っていたマッサージ行為を代替することができると考えられる。例えば、施療者が被施療者の肩のツボである肩井を刺激する際には、被施療者の肩の前方を、施療者が自己の四指で保持しつつ肩の上方から親指で押圧（指圧）して施療するのが好ましい。さらに施療感を向上させるためには、親指で押圧する際、施療者の腕もしくは肘の動き、つまり、押圧方向と交差する方向に沿う変位が親指を介して被施療者の肩に加わることが好ましい。
【０００６】
しかし、特許文献１に記載のマッサージ機においては、一対の揉み手が被施療者の肩を前後から挟むように近接離反を繰り返す動作をするのであって、一方の揉み手が被施療者の肩の前方を保持しつつ他方の揉み手が肩を上方から押圧するような動作はしない。また、施療者の腕の動きに対応する、押圧方向と交差する方向に沿う動作もしない。
【０００７】
また、特許文献２に記載のマッサージ機においても、第２実施形態においては、一対の当接部が被施療者の肩を前後から挟むように近接離反を繰り返す動作をするのであって、一方の当接部が被施療者の肩の前方を保持しつつ他方の当接部が肩を上方から押圧する動作はしない。また、施療者の腕の動きに対応する押圧方向と交差する方向に沿う動作もしない。
【０００８】
このように、施療子が被施療部を押圧して施療する際に、さらに押圧方向に交差する方向に沿う変位を被施療部に加えつつ施療する施療ユニットおよび当該施療ユニットを用いたマッサージ機が求められている。
【０００９】
本発明は、かかる実状に鑑みて為されたものであって、その目的は、施療子が被施療部を押圧して施療する際に、さらに押圧方向に交差する方向に沿う変位を被施療部に加えつつ施療する施療ユニットおよび当該施療ユニットを用いたマッサージ機を提供することにある。
【課題を解決するための手段】
【００１０】
上記目的を達成するための本発明に係る施療ユニットの特徴構成は、
施療子を有する施療部と、
斜板偏心カムを有する第一駆動部と、
偏心カムを有する第二駆動部と、を備え、
前記第一駆動部もしくは前記第二駆動部の何れか一方の駆動部が前記施療部に接続されており、前記第一駆動部もしくは前記第二駆動部の何れか他方の駆動部は、前記一方の駆動部に接続されている点にある。
【００１１】
上記構成によれば、第一駆動部で施療子を有する施療部を押圧方向に揺動させつつ、さらに、第二駆動部で当該揺動方向と交差する方向にも施療子を大きく変位させることができる。そのため施療子が被施療部を押圧して施療する際に、さらに押圧方向に交差する方向に沿う変位を被施療部に加えつつ施療する施療ユニットを提供することができる。
【００１２】
すなわち、上記構成によれば、第一駆動部もしくは第二駆動部の何れか一方の駆動部が施療部に接続されており、第一駆動部もしくは第二駆動部の何れか他方の駆動部は、当該一方の駆動部に接続されているため、第一駆動部および第二駆動部の変位動作の何れもが、直接、もしくは他方の駆動部を介して間接的に施療部に伝達される。そのため、斜板偏心カムを有する第一駆動部は、施療部を押圧方向に揺動させる。この際、偏心カムを有する第二駆動部が、施療部を、押圧方向と交差する方向にも大きく変位させることができる。
【００１３】
例えば被施療部としての被施療者の肩を施療する場合、施療子は、第一駆動部により上下方向に揺動させられつつ肩を上方から押圧し、さらに、第二駆動部により、水平方向に大きく変位させられて、当該押圧動作にひねりを加えることができる。そのため、施療感を向上させることができる。
【００１４】
本発明に係る施療ユニットの更なる特徴構成は、
前記施療部は前記斜板偏心カムに接続されており、
前記第一駆動部は前記偏心カムに接続されており、
前記施療部には前記第一駆動部を介して前記偏心カムの動作が伝達される点にある。
【００１５】
上記構成によれば、施療部は、第一駆動部の斜板偏心カムと接続されて、当該斜板偏心カムにより押圧方向に揺動させられる。さらに、第一駆動部が第二駆動部の偏心カムと接続されているため、施療部には当該第一駆動部を介して当該偏心カムの動作が伝達される。これにより、施療部は、第一駆動部と共に押圧方向と交差する方向に大きく変位させられる。
【００１６】
本発明に係る施療ユニットの更なる特徴構成は、
前記斜板偏心カムと、前記偏心カムとは、互いに独立した駆動源を有する点にある。
【００１７】
上記構成によれば、斜板偏心カムと偏心カムとをそれぞれ独立して動作させることができる。つまり、施療子が被施療部を押圧して施療する際に、この押圧動作と、押圧方向に交差する方向に沿う変位動作とをそれぞれ独立して行って、施療者の腕や指の動きのような、複雑で繊細な動きを実現することができる。そのため、施療感を向上させることができる。
【００１８】
本発明に係る施療ユニットの更なる特徴構成は、
前記施療部を偏心方向に垂直な方向に移動させる第三駆動部を備え、
前記第三駆動部は、前記第一駆動部または前記第二駆動部の少なくとも何れか一方に接続されている点にある。
【００１９】
上記構成によれば、施療部を、第一駆動部または第二駆動部を介して、第三駆動部により偏心方向に垂直な方向に移動させることができる。
【００２０】
本発明に係る施療ユニットの更なる特徴構成は、
前記施療部は、前記施療子として、互いに近接離反可能な第一施療子と第二施療子とを有する点にある。
【００２１】
上記構成によれば、第一施療子と第二施療子の近接離反によって、施療者の指による揉みに相当する施療を行うことができる。例えば第一施療子で押圧して施療する場合、第二施療子で被施療者の被施療部を保持すれば、施療感の良好な揉みを行える。
【００２２】
例えば、被施療者の肩を上方から押圧し施療するには、第一施療子と第二施療子の動きを連携させて、第二施療子で被施療者の肩を保持しつつ第一施療子で肩を上方から押圧するのが適当である。よって、このような特徴構成とすれば、被施療者の肩の前方を第二施療子で保持しつつ第一施療子により被施療者の肩を上方から適切に施療することができる。
【００２３】
本発明に係る施療ユニットの更なる特徴構成は、
前記第二施療子は、先端部分が複数肢に分岐している点にある。
【００２４】
上記構成によれば、第一施療子が親指を模しており、第二施療子が残りの四指を模している。よって、上記構成によれば、施療者が被施療者に対して親指と四指で被施療者を揉む際の指の動きに近づけて施療することができる。
【００２５】
本発明に係る施療ユニットの更なる特徴構成は、
前記施療子の先端部分に膨縮袋を有する点にある。
【００２６】
上記構成によれば、施療者が自己の指で行う指圧に相当する施療をすることができる。
【００２７】
本発明に係る施療ユニットの更なる特徴構成は、
偏心カムの偏心量は、前記斜板偏心カムの偏心量よりも大きい点にある。
【００２８】
上記構成によれば、斜板偏心カムの偏心量を施療者の手首の動きを模した動作に対応させ、他方、偏心カムの偏心量を施療者の肘の動きを模した動作に対応させることができる。よって、上記構成によれば、施療者が被施療者に対して指と腕の動きで被施療者を揉む際の動作にさらに近づけて施療することができる。
【００２９】
上記目的を達成するための本発明に係るマッサージ機の特徴構成は、
上述の施療ユニットを備え、
前記施療部を、被施療者の肩部の施療に用いる点にある。
【００３０】
上記構成によれば、施療子で、肩を上方から押圧しつつ、当該押圧動作にさらにひねりを加えて、施療感良く肩部を施療することができる。
【００３１】
上記目的を達成するための本発明に係るマッサージ機の特徴構成は、
上述の施療ユニットを備え、
前記施療部を、被施療者の背部の施療に用いる点にある。
【００３２】
上記構成によれば、施療子で、背部を上方背面から押圧しつつ、当該押圧動作にひねりを加えて、施療感良く背部を施療することができる。
【００３３】
本発明に係るマッサージ機の更なる特徴構成は、
前記被施療者の前記背部に対向するローラーを前記施療ユニットと一体に備え、
前記ローラーは、前記施療ユニットの昇降に伴って回転しながら前記背部に沿い昇降する点にある。
【００３４】
上記構成によれば、施療ユニットをローラーの回転を利用してなめらかに昇降させつつ、当該ローラーの昇降動作によって被施療者の背部を施療することができる。したがって施療ユニットの昇降動作の円滑化と、背部の施療とを、部品点数を増加させることなく実現することができる。
【図面の簡単な説明】
【００３５】
【図１】マッサージ機の全体構成を示す斜視図
【図２】肩施療機構の全体構成を示す斜視図
【図３】左側側面から見た肩施療機構の分解斜視図
【図４】右側側面から見た肩施療機構の分解斜視図
【図５】第一カムの側面図
【図６】第一駆動部の分解斜視図
【図７】第一カムおよび施療子保持部の分解斜視図
【図８】第二カム部の側面図（透視図）
【図９】第二施療子の分解斜視図
【図１０】施療子を下方から見た図
【図１１】第一、第二施療子の動作を表す図
【図１２】第一、第二施療子の動作を表す図
【図１３】第一、第二施療子の動作を表す図
【図１４】背部施療機構の形態の説明図
【図１５】背部施療機構の別の形態の説明図
【図１６】第一施療子と第二施療子の施療部位を示す図（全身の場合）
【図１７】第一施療子と第二施療子の施療部位を示す図（右足の足裏の場合）
【図１８】第一施療子と第二施療子の施療部位を示す図（右足の左側面の場合）
【発明を実施するための形態】
【００３６】
以下、本発明の実施の形態について、図面を用いて詳細に説明する。なお、以下に記載される実施形態は、本発明を説明するための例示であり、本発明をこれらの実施形態にのみ限定するものではない。従って、本発明は、その要旨を逸脱しない限り、様々な形態で実施することができる。
【００３７】
１．第１実施形態
〔マッサージ機の全体構成〕
図１に本実施形態に係るマッサージ機１の全体構造を示す。マッサージ機１は、座部１１と、背もたれ部１２と、を備えた、いわゆるマッサージ椅子であり、さらに、昇降アーム１５と、施療ユニットの一例として肩施療機構２００と、を備えてなるものである。
【００３８】
座部１１は、被施療者がその臀部または大腿部が当接した状態で着座するものであり、背もたれ部１２は座部１１に着座した被施療者の背を支持するものである。以後、マッサージ機１において被施療者が座部１１に着座した状態での腹側を「前」、背側を「後」、右手側を「右」、左手側を「左」、頭側を「上」、足側を「下」と定義する。また、被施療者の肩幅方向に平行な方向を「幅方向」または「左右方向」、前から後に向かう方向に平行な方向を「前後方向」、幅方向と前後方向の両方に垂直な方向を「上下方向」と定義する。また、以下では特段の注釈なく「左右方向」における「左」ないし「右」、「前後方向」における「前」ないし「後」、「上下方向」における「上」ないし「下」などの方向を説明する場合、それぞれ単に、「左」ないし「右」、「前」ないし「後」、「上」ないし「下」などと記載する場合がある。例えば、左右方向における右側や右方は、単に「右側」や「右方」と記載する場合がある。
【００３９】
以下の実施形態の説明においては、図１に示すマッサージ機１の左側の（左肩を施療する）肩施療機構２００について説明する。マッサージ機１は左側と右側とで対称形状を有しているので、右側の肩施療機構２００の形状の説明は省略する。
【００４０】
〔肩施療機構の全体構成〕
肩施療機構２００は、被施療者の被施療部の施療を行うものである。本実施形態では、被施療者の肩に対して施療を行うものであり、特に、肩を上方から押圧して施療するものである。図２から図４に示すように、肩施療機構２００は、基部２１０と、第一駆動部Ａと、第二駆動部Ｂと、第三駆動部Ｃと、施療子２６０を有する施療子保持部２５０（施療部の一例）と、を有する。施療子保持部２５０は、施療子２６０として、第一施療子２６１と、先端部分が二肢に分岐している第二施療子２６５とを有している。第二施療子２６５は、前後方向において相対的に、第一施療子２６１の前側に配置されている。
【００４１】
第一駆動部Ａは、第一施療モータ駆動部２３０と、第一カム２４０（斜板偏心カムの一例）とを有している。第二駆動部Ｂは、第二施療モータ駆動部３３０と、第二カム３４０（偏心カムの一例、図８参照）とを有している。
【００４２】
後述するように、施療子保持部２５０は第一駆動部Ａの第一カム２４０に接続されている。また、第一カム２４０（第一駆動部Ａ）は第二駆動部Ｂの第二カム３４０に接続されている。つまり、施療子保持部２５０には第一カム２４０を介して第二カム３４０の動作が伝達されるように構成されている。
【００４３】
後述するように、さらに、第二駆動部Ｂの第二カム３４０は第三駆動部Ｃと接続されている。つまり、施療子保持部２５０には第一駆動部Ａおよび第二駆動部Ｂを介して第三駆動部Ｃの動作が伝達されるように構成されている。
【００４４】
〔基部〕
図３、図４に示すように、基部２１０は、第一基部２１１と第二基部２１６とからなる。基部２１０は、背もたれ部１２の左側の側面１４から背当て面１３の前方へ延出する昇降アーム１５に吊持されて固定されている（図示せず）。なお、昇降アーム１５は、側面１４に沿い、背もたれ部１２の延在方向に沿って移動可能に構成されている（図１参照）。
【００４５】
第一基部２１１は金属板をＵ字状に屈曲させて形成されており、底部２１２と一対の側部２１３を有している。第一基部２１１の底部２１２はねじ等により昇降アーム１５（図１参照）に取り付けられている。側部２１３には、対向する箇所に円形のジョイント保持貫通孔２１１ａが形成されている。第一基部２１１は左右方向に延出しており、該ジョイント保持貫通孔２１１ａは側部２１３の左方端部に形成されている。
【００４６】
第二基部２１６は金属板をＵ字状に屈曲させて形成されており、一対の側部２１８を有している。第二基部２１６は第一基部２１１の底部２１２と側部２１３とに挟まれる箇所に位置している。第二基部２１６の底部２１７は第一基部２１１の底部２１２に対向している。第二基部２１６は第一基部２１１と、一対の接続具２１４でネジなどにより接続されている。
【００４７】
接続具２１４は、第二基部２１６のそれぞれの側部２１８の外側と、第一基部２１１のそれぞれの側部２１３の内側との間に配置されている。接続具２１４は金属板をＵ字状に屈曲させて形成されており、底部と一対の側部２１４ａを有している。側部２１４ａには、対向する箇所に一対の円形の貫通孔２１４ｂが形成されている。接続具２１４は左右方向に延在して設けられており、貫通孔２１４ｂは接続具２１４の左方端部に形成されている。
【００４８】
接続具２１４は、右方側を第二基部２１６とネジなどで固定されている。接続具２１４は、貫通孔２１４ｂとジョイント保持貫通孔２１１ａとを貫通するジョイントピン（図示せず）で連結されており、ジョイント保持貫通孔２１１ａを貫通するジョイントピンを回動軸心として、第一基部２１１に揺動自在に取り付けられている。これにより、接続具２１４に固定された第二基部２１６は、ジョイント保持貫通孔２１１ａを貫通するジョイントピンを回動軸心として、接続具２１４を介して第一基部２１１に揺動自在に取り付けられる。つまり、第二基部２１６の右方側が第一基部２１１に対して離間ないし近接可能になる。
【００４９】
〔第一駆動部〕
（１）第一施療モータ駆動部
図２か図４および図６に示すように、第一基部２１１の内部空間には第一施療モータ駆動部２３０が収容されている。第一施療モータ駆動部２３０はブラシレスＤＣモータ（以下、「第一施療モータ」と称する）２３１、該第一施療モータ２３１を駆動する第一施療モータ駆動回路２３３、および第一施療モータ２３１の回転を減速して施療出力軸２３５に伝達する第一減速機２３７を有している。
【００５０】
第一施療モータ２３１と第一施療モータ駆動回路２３３はステー２３８を介して第一減速機２３７に固定されている。第一減速機２３７は土台部２３４の平板部２３４ａの下側面にねじ等により固定されており、第一施療モータ駆動部２３０は土台部２３４と一体となっている。また、施療出力軸２３５には後述する第一カム２４０が取り付けられている。
【００５１】
第一施療モータ２３１は、その回転軸が施療出力軸２３５の回転中心となる軸心Ｘ（図６参照）と直交するように配置されている。第一施療モータ２３１の回転は、第一減速機２３７のプーリー２３７ａとウォーム回転軸２３７ｂとギアボックス２３７ｃ内のギア２３７ｄを介して減速され、また、その回転伝達方向を直角に変換して施療出力軸２３５に伝達される。なお、軸心Ｘは、第一基部２１１の底部２１２、および、第二基部２１６の底部２１７と交差（直交）するように配置されている。
【００５２】
土台部２３４の平板部２３４ａは、第二基部２１６の底部２１７の下面にネジなどで接続される複数本（三本）の円柱状のゴムダンパ２９０と接続されて、底部２１７と平行になるように吊持されている。ゴムダンパ２９０は、その長手方向が底部２１７および平板部２３４ａと垂直に接続されている。平板部２３４ａは、ゴムダンパ２９０とネジなどで接続されている。つまり、平板部２３４ａは、軸心Ｘと垂直に交差している。これにより、土台部２３４は、第二基部２１６に対して軸心Ｘと交差する方向（垂直）に揺動可能となる。
【００５３】
（２）第一カム
図５から図７に示すように、第一カム２４０は、環状軸受の一例である玉軸受２４２と、玉軸受２４２の内輪を軸心方向両側から挟み込んで玉軸受２４２の内輪と一体となって回転する樹脂製の円柱形状のカム本体２４４と、カム本体２４４の２つの底面に取り付けられ、カム本体２４４をさらに外側から挟み込む固定プレート２４６からなる。
【００５４】
第一カム２４０には、カム本体２４４と固定プレート２４６を貫通する孔が２つ開けられている。一方の孔には一方の固定プレート２４６からカム本体２４４と他方の固定プレート２４６までボルト（図示せず）が挿通されてナット（図示せず）で締結されている。これにより、固定プレート２４６、カム本体２４４、玉軸受２４２が一体化される。もう一方の孔には施療出力軸２３５が挿通されてナット（図示せず）などで締結されている。施療出力軸２３５には径方向に突出する回り止めピン（図示せず）が挿入されており、この回り止めピンと嵌合する形状が一方の固定プレート２４６に形成されており、これにより施療出力軸２３５と第一カム２４０（玉軸受２４２の外輪を除く）が一体となって回転する。
【００５５】
施療出力軸２３５の軸心Ｘが第一カム２４０の回転軸心になるが、施療出力軸２３５は玉軸受２４２の回転中心、すなわち、カム本体２４４の軸心から偏心して取り付けられている。これにより、施療出力軸２３５が回転したときに、第一カム２４０の玉軸受２４２の内輪は軸心Ｘに対して偏心の状態で回転する（図６参照）。
【００５６】
また、玉軸受２４２の回転軸心はカム本体２４４の軸心および底面の双方に対して傾斜している。具体的には、カム本体２４４の軸心を起点に施療出力軸２３５の中心を通る径方向の半直線がカム本体２４４の外周面と交差する円周上の点を仮定し、この点を通ってカム本体２４４の軸心に平行な線上に玉軸受２４２の第一施療モータ駆動部２３０から最も離間する箇所が位置するように、玉軸受２４２は傾斜している。換言すると、玉軸受２４２の内、施療出力軸２３５に最も近い箇所が第一施療モータ駆動部２３０から最も離間し、施療出力軸２３５から最も遠い箇所が第一施療モータ駆動部２３０に最も近接している。これにより、施療出力軸２３５が回転したときに、第一カム２４０の玉軸受２４２の内輪は軸心Ｘに対して偏角の状態で回転する。
【００５７】
つまり、施療出力軸２３５が回転したときに、第一カム２４０の玉軸受２４２の内輪は軸心Ｘに対して偏心かつ偏角の状態で回転する。
【００５８】
〔第二駆動部〕
（１）第二施療モータ駆動部
図３、図４、および図６に示すように、第一基部２１１の内部空間には第二施療モータ駆動部３３０が収容されている。第二施療モータ駆動部３３０はブラシレスＤＣモータ（以下、「第二施療モータ」と称する）３３１、該第二施療モータ３３１を駆動する第二施療モータ駆動回路（図示せず）、および第二施療モータ３３１の回転を減速して第二カム３４０に伝達する第二減速機３３７を有している。なお、第二施療モータ３３１は、第一施療モータ２３１とは独立して駆動される。
【００５９】
第一施療モータ２３１は、その回転軸が施療出力軸２３５の回転中心となる軸心Ｘ（図６参照）に沿う方向に配置されている。第二施療モータ３３１と第二施療モータ駆動回路は第二基部２１６の延出部２１６ａに固定されている（図６参照）。当該第二減速機３３７は、プーリー３３７ｂと、プーリー３３７ｂのベアリング部３３７ｃと、第二施療モータ３３１の回転軸からプーリー３３７ｂへ回転を伝達するプーリーベルト３３７ａとを有する（図３参照）。第二減速機３３７は、ベアリング部３３７ｃのケーシングを第二基部２１６に設けられた開口部２１６ｂに内嵌して固定される（図６参照）。このように、第二施療モータ駆動部３３０は第二基部２１６と一体となっている。なお、プーリー３３７ｂには後述する第二カム３４０が取り付けられている。プーリー３３７ｂの回転中心となる軸心Ｙは、軸心Ｘと平行に配置されている（図８参照）。
【００６０】
（２）第二カム
図８に示すように、第二カム３４０は、環状軸受の一例である玉軸受３４２と、玉軸受３４２の内輪と一体となって回転するカム本体３４４と、玉軸受３４２の外周に嵌る土台部２３４のスリーブ２３４ｂとからなる。スリーブ２３４ｂは、土台部２３４の平板部２３４ａから上方側に延出する筒状部として設けられており、当該筒状部の筒の内側に玉軸受３４２を嵌めて、玉軸受３４２と土台部２３４とを相対的に固定している。
【００６１】
カム本体３４４は、プーリー３３７ｂと一体に設けられている。カム本体３４４は、プーリー３３７ｂの回転中心、すなわち、軸心Ｙから偏心して取り付けられている。これにより、プーリー３３７ｂが回転したときに、第二カム３４０の玉軸受３４２の内輪は軸心Ｙに対して偏心の状態で回転する。
【００６２】
上記のような構成により、第二駆動部Ｂの第二カム３４０の動作が第一駆動部Ａ、すなわち、土台部２３４およびこれと第一施療モータ駆動部２３０の施療出力軸２３５を介して連結する第一カム２４０に伝達可能となる。
【００６３】
〔第三駆動部〕
図３、図４に示すように第一基部２１１の底部２１２と第二基部２１６の底部２１７との間には第三駆動部Ｃの一例である膨縮袋２２８が取り付けられている。これにより第二基部２１６の左右方向における右方側には第一基部２１１から軸心Ｘに沿い離間する方向の力（付勢力）を適宜作用させることができる。
【００６４】
膨縮袋２２８は、空気の出し入れにより容積が膨張、収縮する空気袋であって、当該膨張により押圧力を発生させるアクチュエータである。
【００６５】
膨縮袋２２８は、底部２１２および底部２１７の面に沿う方向の蛇腹を有し、空気穴２２８ａを介してエアコンプレッサ（不図示）から空気の供給を受けると、当該空気の供給量の増加に応じて当該蛇腹が伸びて容量が膨張し、底部２１２と底部２１７とが離間する方向の力（付勢力）を生じる。つまり、この付勢力は空気の供給量に応じた膨張量で調整することができる。例えば、肩が強く押圧されることを望む人には膨張量を多くし、弱く押圧されることを望む人には膨張量を少なくする。
【００６６】
膨縮袋２２８は、左右方向に延在しており、左方端部をネジなどで第一基部２１１に固定されている。また、膨縮袋２２８は、膨縮袋２２８における左右方向の中央部分に設けられた空気穴２２８ａを有するプラグ２２８ｂを、第一基部２１１の底部２１２の中央部分に設けた貫通孔２１１ｂの下方から挿通した状態で、プラグ２２８ｂをネジなどで底部２１２に固定されている。
【００６７】
〔施療部〕
（１）施療子保持部
図３、図４および図７に示すように、第一カム２４０には施療子保持部２５０が取り付けられている。施療子保持部２５０は金属板からなる板状の第一部材２５２と樹脂からなり底面と底面の周囲を囲むように立設している側面を有する第二部材２５４とがねじ等により締結されて構成されている。第一部材２５２は第二部材２５４のカム保持貫通孔２５５の周囲を覆う蓋としての機能を果たす。施療子保持部２５０には第一部材２５２から第二部材２５４に亘って第一カム２４０の玉軸受２４２の外輪に嵌り込む断面円形のカム保持貫通孔２５５が形成されており、該カム保持貫通孔２５５は、第二部材２５４においては底面から垂直に立設する円筒形状の突起２５５ａにより形成されている。突起２５５ａの内周面に圧入や接着等の方法により玉軸受２４２の外輪が取り付けられている。すなわち、施療子保持部２５０は玉軸受２４２の回転軸心に対して垂直に取り付けられている。よって、施療子保持部２５０は施療出力軸２３５に対して玉軸受２４２と同じ角度で傾斜している。また、第二部材２５４の底面の突起が形成されている側と反対側には、第一カム２４０に端部を覆うようにカバー２５７が取り付けられている（図７参照）。
【００６８】
（２）施療子
図３、図４、図７、図９、および図１０に示すように、施療子保持部２５０の第二部材２５４のカバー２５７の、第一カム２４０よりも幅方向の内側（すなわち、前から後を見たときに第一カム２４０の左側）に樹脂やゴム等からなる第一施療子２６１（施療子の一例）が一体に形成されている。第一施療子２６１は下方に突出しており、その先端は略半球状になっている。第一施療子２６１は施療者の親指による施療を模したものであり、例えば、肩中愈、肩外愈、曲垣、肩井等のツボや、広背筋、肩甲挙筋、僧帽筋を押圧する。
【００６９】
施療子保持部２５０の第一カム２４０が取り付けられている箇所の近傍且つ前方に、第二施療子２６５が施療子保持部２５０に対して前後方向および上下方向に揺動可能に取り付けられている。第二施療子２６５は、連結部材２６６と、第二施療子本体２７６と、連結軸（リンクの一例）２８０と、を有する。
【００７０】
連結部材２６６は、角を丸めた略直角三角形状になるような板状部材２６６ａを二枚平行にして、直角三角形の斜辺を板状部材２６６ｂで接続した部材であって樹脂により形成されている。直角を挟む２辺（長辺、短辺）のうち長辺と斜辺とからなるそれぞれの板状部材２６６ａの角部には、それぞれの板状部材２６６ａを同一軸心で貫通するように貫通孔２７４が一対で形成されている。一対の貫通孔２７４には軸ピン（図示せず）が挿入されている。施療子保持部２５０の第二部材２５４に形成されたＵ字溝２５６に当該軸ピンが挿入され、第一部材２５２がＵ字溝２５６を覆っている。これにより、連結部材２６６は施療子保持部２５０に対して貫通孔２７４を軸心に前後方向および上下方向に揺動可能に保持されている。連結部材２６６は、貫通孔２７４が施療子保持部２５０の幅方向に平行になるように施療子保持部２５０に取り付けられている。連結部材２６６のそれぞれの板状部材２６６ａの直角をなす角部には、それぞれの板状部材２６６ａを貫通するように貫通孔２７０が形成されている。
【００７１】
第二施療子本体２７６は、樹脂やゴム等からなり、その基端側を連結部材２６６の板状部材２６６ｂにねじ等により固定される支持板２７６ａにねじ等で固定され、連結部材２６６と一体となっている。第二施療子本体２７６は、第一施療子２６１よりも幅方向で外側にあり、且つ、施療子保持部２５０から前方に延出している。すなわち、幅方向に沿って見たときに、第二施療子本体２７６は第一施療子２６１よりも前方に位置し、第二施療子本体２７６の先端部は第一施療子２６１の先端部よりも下方に位置している。
【００７２】
第二施療子本体２７６の先端側は被施療者の肩に当接する箇所であり、第二施療子本体２７６の途中から先端に向けて二肢に分かれている。それぞれの肢の幅方向の大きさは同一であり、幅方向の内側にある肢である第一当接部２７７と幅方向外側にある肢である第二当接部２７８とは同一の大きさである。
【００７３】
また、第二施療子本体２７６の先端部の全幅は第一施療子２６１の幅（半球状部分の直径）よりも大きい。第一当接部２７７と第二当接部２７８とは、その基端側を、連結部材２６６の板状部材２６６ｂにねじ等により固定される支持板２７６ａにネジなどで固定されている。
【００７４】
第一当接部２７７と第二当接部２７８とはそれぞれ、その延出方向に対して沿う方向の蛇腹を有した膨縮袋２７７ａと膨縮袋２７８ａとを有している。空気穴２７７ｂ、２７８ｂを介してエアコンプレッサ（不図示）から空気の供給を受けると、当該空気の供給量の増加に応じて当該蛇腹が伸びて容量が大きくなり（当該空気の供給量の増加に応じて膨張し）、第一当接部２７７ないし第二当接部２７８の延出方向に直交する方向の力（付勢力）を生じる。この付勢力は空気の供給量に応じた膨張量で調整することができる。これにより、第一当接部２７７と第二当接部２７８とが被施療者の肩を押圧する際の圧力を強弱することができる。例えば、肩が強く押圧されることを望む人には膨張量を多くし、弱く押圧されることを望む人には膨張量を少なくする。
【００７５】
なお、第二施療子本体２７６は施療者の親指を除く四指による施療を模したものであり、被施療者の身体を前側から支えたり擦ったりすると共に、例えば欠盆というツボや大胸筋を押圧する。第二施療子本体２７６は、二股に分かれておらず、一体型であってもよい。また、第二施療子本体２７６は、三股以上、例えば親指を除く四指を模した四股に分かれていてもよい。
【００７６】
連結軸２８０は上下方向に延出しており、連結部材２６６や第二施療子本体２７６の上方に位置している。連結軸２８０の上側である一端が球形に形成されて、第一施療モータ２３１のベアリング押えカバー２３１ａに設けられた球形孔とボールジョイント方式により接続されており、下側である他端が連結部材２６６に対して揺動可能に取り付けられている。つまり、連結軸２８０の一端はベアリング押えカバー２３１ａに対して前後方向、上下方向、幅方向の移動において、所定の角度範囲内で回転自在、揺動自在となるように接続されている。
【００７７】
連結軸２８０の他端には径方向に貫通孔２８３が形成されており、貫通孔２８３、および、連結部材２６６の貫通孔２７０を貫通する連結ピン（図示せず）により、連結部材２６６に揺動自在に取り付けられている。当該連結ピンは施療子保持部２５０の幅方向に平行、すなわち、二つの貫通孔２７４と平行になるように取り付けられているので、第二施療子２６５（連結部材２６６）は連結軸２８０により当該連結ピンを軸心に前後方向および上下方向に揺動可能に支持されている。また、連結軸２８０と連結部材２６６の連結箇所は第二施療子２６５の基端側と先端側の間に位置している。
【００７８】
上記のような構成により第二施療子２６５は、連結部材２６６が施療子保持部２５０に対して揺動可能なリンクを構成すると共に、連結軸２８０がボールジョイント、および、揺動可能なリンクを構成しており、いわゆる２リンク機構を備えている。よって、第二施療子２６５は施療子保持部２５０に対して上下方向に移動可能であり、且つ、ベアリング押えカバー２３１ａ、すなわち、第一駆動部Ａの土台部２３４に対して回転可能である。
【００７９】
〔施療子の動作〕
次に、本実施形態に係るマッサージ機１を作動させたときの第一施療子２６１と第二施療子２６５の動作について図１１から図１３を用いて説明する。
【００８０】
まず、被施療者がマッサージ機１の座部１１に着座していない状態、すなわち、第一施療子２６１と第二施療子２６５が何にも当接していない状態において以下では、図１１から図１３に示すように膨縮袋２２８の付勢力が第二基部２１６に作用していないものとして説明する。また、以下では、まず、第二施療モータ３３１が動作していないものとして説明する。
【００８１】
第一施療モータ２３１を駆動させると、第一減速機２３７により減速されて施療出力軸２３５が回転する。施療出力軸２３５の回転により第一カム２４０のカム本体２４４、固定プレート２４６、玉軸受２４２の内輪が一体となって回転する。しかし、施療子保持部２５０は連れ回りしない。これは、施療子保持部２５０に取り付けられた第二施療子２６５が連結軸２８０、ベアリング押えカバー２３１ａを介して土台部２３４に支持されているからである。ただし、施療子保持部２５０は玉軸受２４２の外輪に固定されているので、施療子保持部２５０が回転しなくても、施療出力軸２３５、カム本体２４４、固定プレート２４６、玉軸受２４２の内輪が回転する際の抵抗にはならない。
【００８２】
上述したように、施療出力軸２３５は第一カム２４０のカム本体２４４の軸心に対して偏心した状態で取り付けられているので、施療出力軸２３５の回転に伴い第一カム２４０のカム本体２４４の軸心は軸心Ｘ周りに公転する。すなわち、第一カム２４０は、施療出力軸２３５の軸心Ｘに対して偏心回転する。
【００８３】
玉軸受２４２の回転軸心はカム本体２４４の軸心および底面の双方に対して傾斜しているので、玉軸受２４２の回転軸心に対して垂直に取り付けられた施療子保持部２５０もカム本体２４４の軸心および底面の双方に対して傾斜している。この状態で施療出力軸２３５が回転すると、図１１から図１３に示すように、施療子保持部２５０は、第一カム２４０の施療出力軸２３５に対する前後方向および幅方向への移動量と同じだけ移動し（図１１参照）、それと同時に、玉軸受２４２の揺動する角度範囲（上下方向への振れ）と同じ角度範囲で揺動する（図１２、１３参照）。すなわち、施療子保持部２５０の前後方向および幅方向の位置および傾斜方向は、施療出力軸２３５の回転角度に応じて連続的に変化する。
【００８４】
上述したように、第一施療子２６１は施療子保持部２５０の第二部材２５４のカバー２５７に一体的に取り付けられている。施療子保持部２５０が施療出力軸２３５に対して最も右方側に位置する状態を回転の基準（０度）にしたとき（図１１から図１３各々の（Ｉ））、第一施療子２６１は、上下方向に沿って見たときに、図１１に示すように、施療出力軸２３５が下から見て時計方向に回転するにつれて、施療子保持部２５０の動きに連動して前方側（施療出力軸２３５の回転角度が９０度、図１１（ＩＩ））、左方側（１８０度、図１１（ＩＩＩ））、後方側（２７０度、図１１（ＩＶ））を経て、再び右方側（０度、図１１（Ｉ））に移動（円運動）する。
【００８５】
これと同時に、幅方向に沿って見たときに、図１２に示すように、第一施療子２６１は中位置（０度、図１２の（Ｉ））から、下方位置（９０度、図１２の（ＩＩ））、下方位置（１８０度、図１２の（ＩＩＩ））、上方位置（２７０度、図１２の（ＩＶ））を経て、再び中位置（０度）になるように移動（揺動）する。これは、施療子保持部２５０（第一施療子２６１）に内嵌された玉軸受２４２が施療出力軸２３５に対して、偏心且つ偏角の状態で回転するからである。
【００８６】
上述した左方位置とは第一施療子２６１が幅方向において位置し得る最左方およびその近傍の位置を意味し、右方位置とは第一施療子２６１が幅方向において位置し得る最右方およびその近傍の位置を意味する。中間位置とは左方位置と右方位置との中間の位置を意味する。上方位置とは第一施療子２６１が上下方向において位置し得る最上方およびその近傍の位置を意味し、下方位置とは第一施療子２６１が上下方向において位置し得る最下方およびその近傍の位置を意味する。中位置とは上方位置と下方位置との中間の位置を意味する。
【００８７】
このとき、第二施療子２６５は、図１１から図１３に示すように、施療子保持部２５０が施療出力軸２３５に対して最も右方側にある位置を回転の基準（０度）にしたとき（図１１から図１３各々の（Ｉ））、第二施療子２６５の基端側は、上下方向に沿って見たときに、図１１に示すように、施療出力軸２３５が下から見て時計方向に回転するにつれて、施療子保持部２５０の動きに連動して後方側（施療出力軸２３５の回転角度が９０度、図１１（ＩＩ））、左方側（１８０度、図１１（ＩＩＩ））、前方側（２７０度、図１１（ＩＶ））を経て、再び右方側（０度、図１１（Ｉ））に移動（円運動）する。
【００８８】
第二施療子２６５の第二施療子本体２７６の先端側（第一当接部２７７、第二当接部２７８）も基端側と同様に移動するが、２リンク機構の作用により、基端側よりも前後方向への移動量は小さい。これと同時に、幅方向に沿って見たときに、図１２に示すように、第二施療子本体２７６の先端側は中位置（０度、図１２（Ｉ））から、下位置（９０度、図１２（ＩＩ））、中位置（１８０度、図１２（ＩＩＩ））、上位置（２７０度、図１２（ＩＶ））を経て、再び中位置（０度）になるように揺動する。
【００８９】
さらに、前後方向に沿って見たときに、図１３に示すように、第二施療子本体２７６の先端側は右方位置（０度、図１３（Ｉ））から、中間位置（９０度、図１３（ＩＩ））、左方位置（１８０度、図１３（ＩＩＩ））、中間位置（２７０度、図１３（ＩＶ））を経て、再び中間位置（０度）になるように揺動する。ただし、２リンク機構の作用により、施療子保持部２５０（第一施療子２６１）よりも上下方向の動き（揺動量）は小さい。幅方向の動きは第一施療子２６１と同等である。
【００９０】
上述した上方位置とは第二施療子本体２７６が上下方向において位置し得る最上方およびその近傍の位置を意味し、下方位置とは第二施療子本体２７６が上下方向において位置し得る最下方およびその近傍の位置を意味する。中位置とは上位置と下位置との中間の位置を意味する。左方位置とは第二施療子本体２７６が幅方向において位置し得る最左方およびその近傍の位置を意味し、右方位置とは第二施療子本体２７６が幅方向において位置し得る最右方およびその近傍の位置を意味する。中間位置とは左方位置と右方位置との中間の位置を意味する。
【００９１】
上記のように、幅方向に沿って見たときに、第一施療子２６１は施療子保持部２５０の動きに連動して前後に移動（揺動）する。第二施療子２６５の第二施療子本体２７６の先端側も施療子保持部２５０の動きに連動して前後に揺動するもののその移動量（揺動量）は小さい。よって、幅方向に沿って見たときに、第一施療子２６１と第二施療子本体２７６の先端側の距離は、施療出力軸２３５の回転に応じて変化する。そして、第一施療子２６１と第二施療子本体２７６が互いの先端側の距離が短くなるように連係して移動することにより、被施療者の肩を前方から第二施療子本体２７６で保持しつつ、第一施療子２６１で被施療者の肩を上方から押圧して施療することができる。
【００９２】
このように、第一カム２４０を用いるという簡単な構成により、第一施療子２６１と第二施療子２６５を上下方向に揺動させることができる。なお、施療出力軸２３５の回転角度による第一施療子２６１、第二施療子２６５の動きは、施療出力軸２３５と、第一施療モータ駆動部２３０から最も離間した玉軸受２４２との位置関係により変わってくる。
【００９３】
次に、第二施療モータ３３１をさらに動作させた場合について説明を加える。第二施療モータ３３１を動作させると、第二減速機３３７により減速されて、プーリー３３７ｂが回転する。プーリー３３７ｂの回転により第二カム３４０のカム本体３４４と玉軸受３４２の内輪が一体となって回転する。
【００９４】
上述したように、第二カム３４０のカム本体３４４は、軸心Ｘに沿う方向の円柱状に形成され、プーリー３３７ｂの軸心Ｙから偏心した状態で取り付けられているので、プーリー３３７ｂの回転に伴い第二カム３４０のカム本体３４４の軸心は軸心Ｙ周りに公転する。すなわち、第二カム３４０と相対的に固定された関係にある土台部２３４これにより、土台部２３４およびこれと第一施療モータ駆動部２３０の施療出力軸２３５を介して連結する第一カム２４０、施療子保持部２５０、施療子保持部２５０の第一施療子２６１および第二施療子２６５は、軸心Ｘに平行な軸心Ｙに対して偏心回転（公転）する。
【００９５】
第二カム３４０のカム本体３４４の軸心Ｙから偏心量、すなわち、軸心Ｙからカム本体３４４の円柱の軸心までの距離は、第一カム２４０のカム本体２４４の軸心Ｘからの偏心量、すなわち、軸心Ｘからカム本体２４４の円柱の軸心までの距離よりも大きく設定するとよい。これにより、第一カム２４０の動作を施療者の手首の動きを模した動作に対応させ、他方、第二カム３４０の動作を施療者の肘の動きを模した動作に対応させることができる。
【００９６】
このように、第一カム２４０と第二カム３４０を用いるという簡単な構成により、第一施療子２６１と第二施療子２６５とを上下方向（軸心Ｘに沿う方向）に揺動させながら、さらに、軸心Ｘに平行な軸心Ｙに対して公転（揺動）させることができる。つまり、第一施療子２６１と第二施療子２６５とを上下方向（軸心Ｘに沿う方向）に沿う方向に揺動させつつ、これに交差する方向にも大きく変位させる、いわばひねりを加えることができる。
【００９７】
次に、被施療者がマッサージ機１に着座した状態での第一施療子２６１、第二施療子２６５の動きについて説明する。まず、被施療者がマッサージ機１の座部１１に着座した状態で、昇降アーム１５に支持された肩施療機構２００を肩の位置に合わせる。具体的には、第一施療子２６１が肩の上部、第二施療子２６５が肩の前部に位置するようにする。その後、膨縮袋２２８を膨張させる。
【００９８】
膨縮袋２２８を膨張させると、第一基部２１１の底部２１２と第二基部２１６の底部２１７とが離間する方向の力（付勢力）を生じる。これにより、第二基部２１６は、ジョイント保持貫通孔２１１ａを貫通するジョイントピンを回動軸心として回動し、第二基部２１６の右方側が第一基部２１１から離間するように押し下げられて、第一施療子２６１が、被施療者の肩を上方から押圧する。
【００９９】
膨縮袋２２８の膨張による付勢力により第二施療子２６５で被施療者の肩を前方から保持しつつ、第一施療子２６１で被施療者の肩を上方から押圧しているので、第一施療子２６１と第二施療子２６５は上下方向およびこれに交差する方向の揺動で被施療者の肩から離間することはなく、常に肩を保持しつつ上方から押圧することが可能である。
【０１００】
第一施療子２６１による上方からの押圧中は、第一施療子２６１の上下方向の揺動と、第一施療子２６１の公転と、膨縮袋２２８の付勢力により、第一施療子２６１が被施療者の肩を押圧する力や、押圧する向きを周期的に変化させることができるので、施療者の指による施療に近い、もしくは、施療者の指による施療を凌駕する、良好な施療感を得ることができる。
【０１０１】
従って、本実施形態に係る肩施療機構２００およびこれを用いたマッサージ機１においては、第一施療子２６１が被施療部を押圧して施療する際に、さらに押圧方向に交差する方向に沿う変位を被施療部に加えつつ施療することができる。
【０１０２】
また、第一施療子２６１と第二施療子２６５とは、前後左右方向に移動するので、被施療者の肩の特定箇所だけではなく、その周辺も押圧することができるので、押圧による施療効果をさらに高めることができる。
【０１０３】
また、第二施療子２６５は、前後左右方向の移動とは別に、第一当接部２７７や第二当接部２７８の膨縮袋２７７ａ、２７８ａで前方から押圧することができるので、押圧による施療効果や保持効果をさらに高めることができる。
【０１０４】
本実施形態の肩施療機構２００においては、上述のように、第一施療子２６１が前後左右方向に移動していわゆる円運動を行いつつ（図１１参照）、２リンク機構により第一施療子２６１と第二施療子２６５が互いに前後方向に近接、離反を繰り返し（図１２参照）、さらにはこれら動作にひねりを加えることができるため、肩の押圧のみならず、把握揉捏による肩甲挙筋や僧帽筋上部等の肩の筋肉をほぐすことができる。僧帽筋は太くて強い筋肉であるが、肩甲挙筋は細く弱い筋肉である。特に、女性やなで肩の人は、肩甲挙筋が弱いため筋肉が緊張状態になりやすく肩こりになりやすい。
【０１０５】
そのため、肩施療機構２００においては、上下方向に延在する施療出力軸２３５を円運動させ、さらに当該施療出力軸２３５の周りを第一施療子２６１が円運動することで、揉捏の際の施療者の腕や、指の動き、さらに拇指球の回転を再現して、指圧より少し広い範囲を押圧して肩甲挙筋や僧帽筋上部等の肩の筋肉をほぐすことができる。このとき第二施療子２６５は、第一施療子２６１による揉捏動作の際に被施療者の身体が逃げないように把握と支持を行う。すなわち、第二施療子２６５は、第一施療子２６１と第二施療子２６５が互いに近接するときは被施療者の肩の筋肉を把握し、離反するとき被施療者の身体を支持する。これにより、被施療者の肩の筋肉を効果的にほぐすことができる。
【０１０６】
背もたれ部１２の左右の側面１４にそれぞれ備えられた昇降アーム１５の上下方向への移動、肩施療機構２００の幅方向への移動は、各々を独立して行うことができる。また、左右の肩施療機構２００の第一施療モータ２３１についても、一方の第一施療モータ２３１だけを駆動させたり、それぞれの回転数を異ならせたりすることができる。また、左右の肩施療機構２００の第二施療モータ３３１についても、一方の第二施療モータ３３１だけを駆動させたり、それぞれの回転数を異ならせたりすることができる。すなわち第一施療モータ２３１や第二施療モータ３３１のそれぞれを独立して制御することができる。これにより、被施療者の個人差により左右の肩の高さが異なっている場合、被施療者が所望する押圧位置、押圧力等が左右の肩で異なっている場合、左右の肩の一方だけを施療したい場合等にも容易に対応することができる。
【０１０７】
〔別実施形態〕
（１）上記実施形態では、施療子保持部２５０は第一駆動部Ａの第一カム２４０に接続されており、第一カム２４０（第一駆動部Ａ）は第二駆動部Ｂの第二カム３４０に接続されている場合を例示した。しかしながら、施療子保持部２５０と第一駆動部Ａと第二駆動部Ｂとの接続は上記態様に限られず、施療子保持部２５０は第二駆動部Ｂの第二カム３４０に接続されており、第二カム３４０（第二駆動部Ｂ）は第一駆動部Ａの第一カム２４０に接続される態様も取り得る。
（２）上記実施形態では、第一駆動部Ａは、第一施療モータ駆動部２３０と、第一カム２４０とを有しており、第一施療モータ駆動部２３０は、第一施療モータ２３１を有している場合を例示した。また、第二駆動部Ｂは、第二施療モータ駆動部３３０と、第二カム３４０とを有しており、第二施療モータ駆動部３３０は、第二施療モータ３３１を有している場合を例示した。しかしながら、第一駆動部Ａと第二駆動部Ｂとは、別個に第一施療モータ２３１と第二施療モータ３３１とを有する代わりに、一つの施療モータを共有することもできる。この場合、第一施療モータ駆動部２３０と、第二施療モータ駆動部３３０とが一つの施療モータを共有することもできるし、第一施療モータ駆動部２３０の機能と、第二施療モータ駆動部３３０の機能とを包含する一つの施療モータ駆動部を設け、一つの施療モータで、第一駆動部Ａの第一カム２４０と、第二駆動部Ｂの第二カム３４０とを駆動してもよい。
【０１０８】
（３）上記実施形態では、第一基部２１１の底部２１２と第二基部２１６の底部２１７との間には第三駆動部Ｃの一例である膨縮袋２２８が取り付けられており、第二基部２１６の先端側には第一基部２１１から軸心Ｘに沿い離間する方向の力（付勢力）を作用させ、当該付勢力を膨縮袋２２８への空気の供給量に応じた膨張量で調整する場合を例示した。しかしながら、第三駆動部Ｃは、膨縮袋２２８の代わりに、コイルバネなどの弾性部材を採用することもできる。膨縮袋２２８の代わりにコイルバネを採用した場合は、上記付勢力は一定になる。
【０１０９】
（４）上記実施形態では、第一基部２１１の底部２１２と第二基部２１６の底部２１７との間には第三駆動部Ｃの一例である膨縮袋２２８が取り付けられており、第二基部２１６の先端側には第一基部２１１から離間する方向の力（付勢力）を作用させる場合を例示した。しかしながら、第三駆動部Ｃは、膨縮袋２２８の代わりに、モータを採用することもできる。
【０１１０】
（５）上記実施形態では、肩施療機構２００の第二施療子２６５で被施療者の肩を前方から保持しつつ、第一施療子２６１で被施療者の肩を上方から押圧している態様を例示した。しかしながら、肩施療機構２００における第二施療子２６５と第一施療子２６１との関係はこの例示の態様に限定されない。たとえば、第二施療子２６５で被施療者の肩を上方から保持しつつ、第一施療子２６１で被施療者の肩を後方から押圧する態様も採りうる。また、第二施療子２６５で被施療者の肩を前方から保持しつつ、第一施療子２６１で被施療者の肩を後方から押圧する態様も採りうる。
【０１１１】
（６）上記実施形態では、マッサージ機１が、施療ユニットの一例として、肩を施療する肩施療機構２００を有する場合を例示した。しかしながら、マッサージ機１は、肩施療機構２００に代えて、もしくは、肩施療機構２００と共に、被施療者の背部を施療する背部施療機構３００（図１４、図１５参照）を、背もたれ部１２に、施療ユニットとして有することもできる。この場合、背部施療機構３００は、肩施療機構２００と同様の機構に加えて、被施療者の背部に対向するローラーＲを一体に備えることができる。これにより、ローラーＲを、背部施療機構の昇降に伴って回転させて、背部施療機構３００を被施療者の背部に沿いなめらかに昇降させることができる。この場合、背部施療機構３００は、被施療者の背部の背中の面に対して、第一施療子２６１を内側（右側）に配置し、第二施療子２６５を外側（左側）に配置することで、人（施療者）が被施療者に対して施療しているような施療を行うことができる。
【０１１２】
図１４を参照して、背部施療機構３００の一例を説明する。背部施療機構３００は、たとえば図１４に示すように左右一対のユニットとして設けられている。背部施療機構３００は、左右に一対の矩形の支持板３と、支持板３の四隅に設けられ、上下方向に沿い転動する回転体（本実施形態では、左右方向に所定の厚みを有し、左右方向に回転軸心を有する円筒状）であるローラーＲとを有する支持板３に、肩施療機構２００と同様の機構を有するユニット２００ａが一つ設けられている。以下では、説明の便宜のため、ユニット２００ａにおける肩施療機構２００と同様の構造部分は同一の符号を用いて説明する。
【０１１３】
ローラーＲは、支持板３に軸支された回転軸を回転軸心として回転する回転体である。ローラーＲは、被施療者の背部に対向する状態で転がって、背部施療機構３００を上下方向に沿い移動させる。
【０１１４】
本実施形態では、ユニット２００ａの第一基部２１１がねじ等で支持板３に固定されている場合を図１４に図示して説明している。以下の実施形態の説明においては、マッサージ機１の左側の（背中の左側領域を施療する）ユニット２００ａについて説明する。マッサージ機１は左側と右側とで対称形状を有しているので、右側のユニット２００ａの形状の説明は省略する。また、ユニット２００ａは、肩施療機構２００と同様の動作が可能であり、これら同様の動作については説明を省略する。
【０１１５】
ユニット２００ａは、第一施療子２６１が施療者の背中の内側寄り（右側寄りの位置）に、第二施療子２６５が、施療者の背中における外側寄り（右側寄り）に配置されている。つまり、第一施療子２６１に対して、第二施療子２６５が相対的に背中の外側に変位した位置に配置されている。被施療者がマッサージ機１に着座し、背もたれ部１２に凭れた状態で、ユニット２００ａにおける第一施療子２６１および第二施療子２６５が被施療者の背中に当接する。
【０１１６】
被施療者が背もたれ部１２に凭れた状態で、背部施療機構３００がローラーＲで上下に昇降することで、ユニット２００ａは、被施療者の背中の上部から下部にかけて広い範囲で施療することができる。背部施療機構３００は、たとえば肩の下（背中の上部）から腰の位置（背中の下部）までの範囲で昇降させることができる。
【０１１７】
なお、背部施療機構３００の左右のユニットはそれぞれ別個に（独立して）上下に昇降することができる。このようにすることで、被施療者は人（施療者）が左右の手で異なる部位を別々に施療しているような施療を味わうことができる。
【０１１８】
なお、図１４には、背部施療機構３００の左右のユニットが一対である場合を図示したが、二対以上とすることもできる。この場合、それぞれのユニットが上下方向に重複しない位置に配置することもできる。たとえば、ユニットを左右方向において四列で配置することができる。
【０１１９】
また、左方側ないし右方側にあるユニットを、それぞれの側において上下に重複する位置に配置することもできる。たとえば、背部施療機構３００を上下に二列配置し、上部側の背部施療機構３００、下部側の背部施療機構３００として用いることもできる。
【０１２０】
図１５を参照して、背部施療機構３００の他の例を説明する。図１５に示した場合の背部施療機構３００は、図１４に示した場合とは、一つの矩形の支持板３に、一対のユニット２００ａが設けられている点で異なり、他は同じである。
【０１２１】
図１５に示すように、一つの矩形の支持板３に、一対のユニット２００ａが設けられている場合は、一つの矩形の支持板３の昇降にともなって、一対のユニット２００ａが上下に昇降し、被施療者の背中を施療することができる。この場合も、ユニット２００ａは、被施療者の背中の上部から下部にかけて広い範囲で施療することができる。背部施療機構３００は、たとえば肩の下（背中の上部）から腰の位置（背中の下部）までの範囲で昇降させることができる。
【０１２２】
（７）上記実施形態では、上記実施形態では、マッサージ機１が、施療ユニットの一例として、肩を施療する肩施療機構２００を有する場合を例示した。しかしながら、マッサージ機１は、肩施療機構２００に代えて、もしくは、肩施療機構２００と共に、被施療者の身体の各部、たとえば、首、腕（上腕、前腕）、背中ないし腰、尻、脚（大腿部、ふくらはぎ）ないし足（以下では、身体各部と称する場合がある）を施療する他の施療機構（図示せず）を有することもできる。
【０１２３】
この場合、施療機構は、被施療者の身体各部に対して、適した配置にすることができる。具体的には、図１６から図１８に示すように、被施療者の首、腕（上腕、前腕）、背中ないし腰、尻、脚（大腿部、ふくらはぎ）（図１６参照）ないし足（図１７、図１８参照）に対して、第一施療子２６１を内側（右側）に配置し、第二施療子２６５を外側（左側）に配置することで、人（施療者）が被施療者に対して施療しているような施療を行うことができる。
【０１２４】
図１６には、人の身体の各部を施療する場合を模式的に示している。図１６中、破線で描いた円弧で指し示す部位Ｐ１には第一施療子２６１が当接される。図１６中、実線で描いた円弧で指し示す部位Ｐ２には第二施療子２６５が当接される。
【０１２５】
図１６の場合は、人の身体に対する背面視（身体の背面から見た正面視）における身体の外側（図１６における身体の領域の外側）に第二施療子２６５が配置され、内側（図１６における身体の領域の内側）に第一施療子２６１が配置される場合を図示している。これにより、被施療者の身体各部に対して、身体の外側に四指を配置し、内側に親指を配置した状態で人（施療者）が施療しているような施療を行うことができる。
【０１２６】
図１６における首部分Ｈ１、腕の上腕部Ｈ２、腕の前腕部Ｈ３、背中ないし腰の部分である背部Ｈ４、尻の臀部Ｈ５、脚の大腿部Ｈ６、ふくらはぎ部Ｈ７を例示して、マッサージ機１にこれら部分を施療するユニットを設ける態様について例示的な説明を加える。
【０１２７】
以下は、被施療者の身体各部を説明する場合に、被施療者の腹側を「前」、背側を「後」、右手側を「右」、左手側を「左」、頭側を「上」、足側を「下」と定義する。また、被施療者の肩幅方向に平行な方向を「左右方向」、前から後に向かう方向に平行な方向を「前後方向」、幅方向と前後方向の両方に垂直な方向を「上下方向」と定義する。また、以下では特段の注釈なく「左右方向」における「左」ないし「右」、「前後方向」における「前」ないし「後」、「上下方向」における「上」ないし「下」などの方向を説明する場合、それぞれ単に、「左」ないし「右」、「前」ないし「後」、「上」ないし「下」などと記載する場合がある。例えば、左右方向における右側や右方は、単に「右側」や「右方」と記載する場合がある。
【０１２８】
人の身体は、左側と右側とで対称形状を有しているので、首部分Ｈ１、腕の上腕部Ｈ２、腕の前腕部Ｈ３、背部Ｈ４、尻の臀部Ｈ５、脚の大腿部Ｈ６、ふくらはぎ部Ｈ７については、被施療者の身体の左側についてのみ説明を加え、身体の右側については説明を省略する。
【０１２９】
首部分Ｈ１を施療する場合には、首部分Ｈ１の外側（左側側面）に第二施療子２６５が配置され、内側（背面側）に第一施療子２６１が配置される。マッサージ機１に首部分Ｈ１を施療するユニットを設ける場合は、たとえば、背もたれ部１２の上方部分ないし上端部に当該ユニットを設け、当該ユニットにおいて、第一施療子２６１やカバー２５７が首部分Ｈ１の内側に当接し、第二施療子２６５が首部分Ｈ１の外側に当接するように配置する。
【０１３０】
上腕部Ｈ２を施療する場合には、上腕部Ｈ２の外側（左側側面）に第二施療子２６５が配置され、内側（背面側）に第一施療子２６１が配置される。マッサージ機１に上腕部Ｈ２を施療するユニットを設ける場合は、たとえば、背もたれ部１２の側部（左側側部）ないし側面１４（図１参照）に当該ユニットを設け、当該ユニットにおいて、第一施療子２６１やカバー２５７が上腕部Ｈ２の内側に当接し、第二施療子２６５が上腕部Ｈ２の外側に当接するように配置する。
【０１３１】
前腕部Ｈ３を施療する場合には、前腕部Ｈ３の外側（たとえば右側側面）に第二施療子２６５が配置され、内側（背面側）に第一施療子２６１が配置される。マッサージ機１に前腕部Ｈ３を施療するユニットを設ける場合は、たとえば、ひじ掛け部１６（図１参照）に当該ユニットを設け、当該ユニットにおいて、第一施療子２６１やカバー２５７が前腕部Ｈ３の内側に当接し、第二施療子２６５が前腕部Ｈ３の外側に当接するように配置する。なお、前腕部Ｈ３については、第二施療子２６５が左側側面に当接するように配置されてもよい。
【０１３２】
背部Ｈ４を施療する場合には、背部Ｈ４の外側（左側側面）に第二施療子２６５が配置され、内側（背面側）に第一施療子２６１が配置される。マッサージ機１に背部Ｈ４を施療するユニットを設ける場合は、たとえば、背もたれ部１２に当該ユニットを設け、当該ユニットにおいて、第一施療子２６１やカバー２５７が背部Ｈ４の内側に当接し、第二施療子２６５が背部Ｈ４の外側に当接するように配置する。この場合、マッサージ機１に背部Ｈ４を施療するユニットとして、上述の背部施療機構３００（図１４、図１５参照）を採用すると好適である。
【０１３３】
臀部Ｈ５を施療する場合には、臀部Ｈ５の外側（左側側面）に第二施療子２６５が配置され、内側（背面側）に第一施療子２６１が配置される。マッサージ機１に臀部Ｈ５を施療するユニットを設ける場合は、たとえば、背もたれ部１２の下端部ないし座部１１（図１参照）に当該ユニットを設け、当該ユニットにおいて、第一施療子２６１やカバー２５７が臀部Ｈ５の内側に当接し、第二施療子２６５が臀部Ｈ５の外側に当接するように配置する。
【０１３４】
大腿部Ｈ６を施療する場合には、大腿部Ｈ６の外側（左側側面）に第二施療子２６５が配置され、内側（背面側）に第一施療子２６１が配置される。マッサージ機１に大腿部Ｈ６を施療するユニットを設ける場合は、たとえば、座部１１の前端部や、脚ユニット１７の上端部（図１参照）に当該ユニットを設け、当該ユニットにおいて、第一施療子２６１やカバー２５７が大腿部Ｈ６の内側に当接し、第二施療子２６５が大腿部Ｈ６の外側に当接するように配置する。なお、大腿部Ｈ６については、第二施療子２６５が右側側面に当接するように配置されてもよい。
【０１３５】
ふくらはぎ部Ｈ７施療する場合には、ふくらはぎ部Ｈ７の外側（たとえば右側側面）に第二施療子２６５が配置され、内側（背面側）に第一施療子２６１が配置される。マッサージ機１にふくらはぎ部Ｈ７を施療するユニットを設ける場合は、たとえば、脚ユニット１７の凹部１７ａに当該ユニットを設け、当該ユニットにおいて、第一施療子２６１やカバー２５７がふくらはぎ部Ｈ７の内側に当接し、第二施療子２６５が大腿部Ｈ６の外側に当接するように配置する。なお、ふくらはぎ部Ｈ７については、第二施療子２６５が左側側面に当接するように配置されてもよい。
【０１３６】
図１７、図１８に示すように、施療者の足の足裏ないし足側面を施療する場合には、脚ユニット１７（図１参照）の下端ないし下方に足ユニットを設け、当該脚ユニットに施療ユニットを設けることができる。
【０１３７】
図１７には、人の身体の右足の裏（以下では足裏と称する）を施療する場合を模式的に示している。図１７中、破線で描いた円弧で指し示す部位Ｐ１には第一施療子２６１が当接される。図１７中、実線で描いた円弧で指し示す部位Ｐ２には第二施療子２６５が当接される。
【０１３８】
図１７の場合は、足裏に対する正面視における足裏の外側（右側側面）に第二施療子２６５が配置され、内側に第一施療子２６１が配置される場合を図示している。これにより、被施療者の足裏の正面視外側に四指を配置し、内側に親指を配置した状態で人（施療者）が施療しているような施療を行うことができる。なお、足裏の左側側面に第二施療子２６５を配置する態様も採りうる。
【０１３９】
図１８には右足の左側側面を図示している。図１８は、人の身体の右足を施療する場合を模式的に示している。図１８中、破線で描いた円弧で指し示す部位Ｐ１には第一施療子２６１が当接される。図１８中、実線で描いた円弧で指し示す部位Ｐ２には第二施療子２６５が当接される。
【０１４０】
図１８の場合は、右足の右側面に施療機構の施療子２６０を当接している。そして、右足の右右足の甲側に第二施療子２６５が配置され、足裏側に第一施療子２６１が配置される場合を図示している。これにより、被施療者の足の甲に四指を配置し、足裏に親指を配置した状態で人（施療者）が施療しているような施療を行うことができる。
【０１４１】
なお、被施療者の腕ないし脚に対して第一施療子２６１を正面視外側に配置し、第二施療子２６５を正面視内側に配置することもできる。
【０１４２】
（８）上記実施形態では、施療ユニットである肩施療機構２００をいわゆるマッサージ椅子であるマッサージ機１に設け、被施療者の肩を施療する場合を例示した。しかしながら、施療ユニットは、マッサージ椅子であるマッサージ機１に設けられる場合に限られない。
【０１４３】
例えば施療ユニットを、一端を地面などに固定され、当該固定された端部の他端側に、指示駆動部により駆動される一つないし二つ以上の関節部を設けた、いわゆるロボットロボットアームに設け、被施療者の肩、背（背部）、首、腕、脚、足を包含する、被施療者の身体の任意の部位、ないし、体全体の施療に用いることもできる。たとえば、被施療者がベッドに横たわる状態で、ベッドに一端を固定されたロボットアームの他端に施療ユニットを設けて、当該施療ユニットで、被施療者の身体を施療することもできる。
【０１４４】
この場合、ロボットロボットアームには、施療者の指示に従って動作させるべく制御部をもうけ、当該制御部に、当該施療者の指示に基づいてロボットロボットアームを制御させ、被施療者を施療することができる。例えば、被施療者が、当該被施療者の身体のどの部位を、どのように、どの順番で施療するかといった当該被施療者の希望を制御部に指示することで当該制御部にロボットアームを駆動させ、当該希望に対応する部位などを、施療ユニットで施療することもできる。
【０１４５】
（９）上記実施形態では、施療ユニットである肩施療機構２００をいわゆるマッサージ椅子であるマッサージ機１に設け、被施療者の肩を施療する場合を例示し、肩施療機構２００は、その基部２１０を介してマッサージ機１の昇降アーム１５に吊持されて固定されている場合を例示した。しかしながら、施療ユニットは、マッサージ椅子であるマッサージ機１のような家具や建物に固定される場合に限られない。
【０１４６】
例えば肩施療機構２００と同様の構造の施療ユニットの基部２１０に、被施療者ないし施療者が当該施療ユニットを把持するための把持部を設けて、手持ち式（ハンディータイプ）の施療器とすることもできる。
【０１４７】
このように手持ち式とした場合、被施療者は施療器の把持部を把持し、自己の肩、背（背部）、首、腕、脚、足を包含する、被施療者の身体の任意の部位に移動させることで自己を施療することができる。
【０１４８】
またこのように手持ち式とした場合、上記同様に、施療者は、施療器の把持部を把持し、被施療者の肩、背（背部）、首、腕、脚、足を包含する、被施療者の身体の任意の部位に移動させて施療することができる。
【産業上の利用可能性】
【０１４９】
本発明は、施療ユニットおよびマッサージ機に利用することが可能である。
【符号の説明】
【０１５０】
１        ：マッサージ機
１５      ：昇降アーム
２００    ：肩施療機構（施療ユニット）
２００ａ  ：ユニット（施療ユニット）
２１０    ：基部
２２８    ：膨縮袋（第三駆動部）
２４０    ：第一カム（斜板偏心カム）
２６０    ：施療子
２６１    ：第一施療子
２６５    ：第二施療子
２７６    ：第二施療子本体（第二施療子）
２７７ａ  ：膨縮袋
２７８ａ  ：膨縮袋
３００    ：背部施療機構（施療ユニット）
３４０    ：第二カム（偏心カム）
Ａ        ：第一駆動部
Ｂ        ：第二駆動部
Ｃ        ：第三駆動部
Ｘ        ：軸心
Ｙ        ：軸心
【図１】
2019130048.tif 000003
【図２】
2019130048.tif 000004
【図３】
2019130048.tif 000005
【図４】
2019130048.tif 000006
【図５】
2019130048.tif 000007
【図６】
2019130048.tif 000008
【図７】
2019130048.tif 000009
【図８】
2019130048.tif 000010
【図９】
2019130048.tif 000011
【図１０】
2019130048.tif 000012
【図１１】
2019130048.tif 000013
【図１２】
2019130048.tif 000014
【図１３】
2019130048.tif 000015
【図１４】
2019130048.tif 000016
【図１５】
2019130048.tif 000017
【図１６】
2019130048.tif 000018
【図１７】
2019130048.tif 000019
【図１８】
2019130048.tif 000020